(57)【要約】【課題】テーブル什器と当該テーブル什器に連結される連結什器とを備えるテーブルシステムにおいて、作業面を広く確保すると共に配線の引き回しを容易とする。【解決手段】第一テーブル什器１００及び第二テーブル什器２００が、天板１１の下面に取り付けられるダクト１４を備え、ダクト１４を通じて配設された配線が、天板１１の縁部下方から取り出し可能とされている。【選択図】図１
2015084998.tif 000002
【特許請求の範囲】
【請求項１】
作業面を形成する天板及び当該天板を支持する複数の脚部を有するテーブル什器と、当該テーブル什器と連結される他の什器とを有するテーブルシステムであって、
前記テーブル什器は、前記天板の下面に取り付けられるダクトを備え、前記他の什器から前記ダクトを通じて配設された配線が、前記天板の前記連結什器側の縁部を除く縁部下方から取り出し可能とされていることを特徴とするテーブルシステム。
【請求項２】
複数の前記テーブル什器が直列的に連結されていることを特徴とする請求項１記載のテーブルシステム。
【請求項３】
前記テーブル什器が、箱状の引出し本体と当該引出し本体をスライド可能に支持する支持手段とを有する引出し機構を有し、
前記引出し本体が、底板と、当該底板から上方に向かって延在すると共に引出し本体の内部と引出し本体の外部とを連通する配線挿通部を有する立片とを備え、
前記引出し本体を通じて前記天板の縁部下方から前記配線を取り出し可能とされている
ことを特徴とする請求項１または２記載のテーブルシステム。
【請求項４】
前記配線挿通部は、前記ダクト側と前記天板の縁部側とに設けられていることを特徴とする請求項３記載のテーブルシステム。
【発明の詳細な説明】
【技術分野】
【０００１】
本発明は、テーブルシステムに関するものである。
【背景技術】
【０００２】
例えば、特許文献１〜３には、作業面を形成する天板と、この天板を支持する脚部とを備えたテーブル什器が記載されている。オフィスや公共施設等における執務空間においては、作業を行う際に、このようなテーブル什器を使用することが一般的となっている。こうしたテーブル什器は、例えば前後左右等の様々な方向からアクセス可能とされており、個別の集中作業やミーティング、定席使用やフリーアドレス使用等の多種多様な使用形態に柔軟に対応可能とされている。また、大人数によるミーティングや広い作業面を必要とする作業では、複数のテーブル什器が並べて使用される。さらに、ディスプレイを用いてのミーティング等が可能となるように、テーブル什器にディスプレイ支持什器を連結したテーブルシステムも提案されている。このようなテーブル什器に対して、他のテーブル什器やディスプレイ支持什器等の他の連結什器を連結してなるテーブルシステムが広く用いられている。
【先行技術文献】
【特許文献】
【０００３】
【特許文献１】特許第４４２０４１３号公報
【特許文献２】特開２０００−２４５５３８号公報
【特許文献３】特開２０１３−１０２９９４号公報
【発明の概要】
【発明が解決しようとする課題】
【０００４】
ところで、近年においては、テーブル什器の作業面において電源が必要なパーソナルコンピュータ等の電子機器を用いた作業が多く行われている。このため、複数のテーブル什器を並べて使用するような場合には、配線の引き回しが問題となる。また、上述のようにディスプレイを用いるテーブルシステム等でも同様に配線の引き回しが問題となる。このため、一般的には、テーブル什器の天板の作業面に配線挿通部を設け、この配線挿通部を通じて配線の引き回しを行っている。
【０００５】
しかしながら、作業面に配線挿通部を設けた場合には、この配線挿通部が設けられる領域の分、作業面が減少することになる。また、一般的にこのような配線挿通部は天板の中央部に設けられることから、各作業者が座る位置から遠く、使い勝手が悪い。
【０００６】
本発明は、上述する問題点に鑑みてなされたもので、テーブル什器と当該テーブル什器に連結される連結什器とを備えるテーブルシステムにおいて、作業面を広く確保すると共に配線の引き回しを容易とすることを目的とする。
【課題を解決するための手段】
【０００７】
本発明は、上記課題を解決するための手段として、以下の構成を採用する。
【０００８】
第１の発明は、作業面を形成する天板及び当該天板を支持する複数の脚部を有するテーブル什器と、当該テーブル什器と連結される他の什器とを有するテーブルシステムであって、上記テーブル什器が、上記天板の下面に取り付けられるダクトを備え、上記他の什器から上記ダクトを通じて配設された配線が、上記天板の上記連結什器側の縁部を除く縁部下方から取り出し可能とされているという構成を採用する。
【０００９】
このような構成を採用する本発明によれば、ダクトを通じて配設される配線を天板の連結什器側の縁部を除く縁部下方から取り出すことができる。このため、天板の作業面上に配線挿通部を設ける必要がなく、作業面を広く確保することができる。また、作業者は天板の連結什器側の縁部を除く縁部近傍に座って作業を行う。このため、配線を天板の連結什器側の縁部を除く縁部下方から取り出すことによって、自身のパーソナルコンピュータ等に配線を容易に接続することができる。したがって、配線の引き回しを容易に行うことができる。このように、本発明によれば、テーブル什器と当該テーブル什器に連結される連結什器とを備えるテーブルシステムにおいて、作業面を広く確保すると共に配線の引き回しを容易とすることが可能となる。
【００１０】
第２の発明は、上記第１の発明において、複数の上記テーブル什器が直列的に連結されているという構成を採用する。
【００１１】
このような構成を採用する本発明によれば、複数のテーブル什器の天板の作業面を連結して使用することができるため、より広い作業スペースを確保することが可能となる。
【００１２】
第３の発明は、上記第１または第２の発明において、上記テーブル什器が、箱状の引出し本体と当該引出し本体をスライド可能に支持する支持手段とを有する引出し機構を有し、上記引出し本体が、底板と、当該底板から上方に向かって延在すると共に引出し本体の内部と引出し本体の外部とを連通する配線挿通部を有する立片とを備え、上記引出し本体を通じて上記天板の縁部下方から上記配線を取り出し可能とされているという構成を採用する。
【００１３】
このような構成を採用する本発明によれば、箱状の引出し本体が備える立片に対して、引出し本体の内部と外部とを連通する配線挿通部を備えているため、この配線挿通部を介して配線を引出し本体の内部に取り込むことができる。このため、他の什器との間で架け渡される配線を、引出し本体の内部を通過させて引き回すことができ、引き回された配線が作業者等に接触することを防止することができる。したがって、本発明によれば、引出し本体が収容されたまま他の什器と連結されたときであっても、他の什器との間で架け渡される配線が作業者の邪魔とならないように引き回すことが可能となる。
【００１４】
第４の発明は、上記第３の発明において、上記配線挿通部が、上記ダクト側と上記天板の縁部側とに設けられているという構成を採用する。
【００１５】
このような構成を採用する本願発明によれば、引出し本体を通じて配線を引き回すことにより、天板の連結什器側の縁部を除く縁部下方から容易に配線を取り出すことが可能となる。
【発明の効果】
【００１６】
本願発明によれば、天板の作業面上に配線挿通部を設ける必要がなく、また作業者の近くから配線を取り出すことができるため、作業面を広く確保すると共に配線の引き回しを容易とすることが可能となる。
【図面の簡単な説明】
【００１７】
【図１】全ての引出し本体が収容された状態における本発明の一実施形態のテーブルシステムの斜視図である。
【図２】引出し本体が引き出された状態における本発明の一実施形態のテーブルシステムの斜視図である。
【図３】本発明の一実施形態のテーブルシステムの分解斜視図である。
【図４】本発明の一実施形態のテーブルシステムが備える第一テーブル什器の天板を省略して図示した斜視図である。
【図５】本発明の一実施形態のテーブルシステムが備える第一テーブル什器が備える脚部の３面図であり、（ａ）が平面図、（ｂ）が右側から見た側面図、（ｃ）が前側から見た側面図である。
【図６】本発明の一実施形態のテーブルシステムが備える第一テーブル什器の要部拡大図である。
【図７】本発明の一実施形態のテーブルシステムが備える第一テーブル什器が備える脚部の変形例を示す側面図であり、（ａ）が右側から見た側面図、（ｂ）が前側から見た側面図である。
【図８】本発明の一実施形態のテーブルシステムが備える第一テーブル什器の引出し本体の斜視図である。
【図９】本発明の一実施形態のテーブルシステムの第一テーブル什器が備えるダクトと第４引出し機構の引出し本体とを含む斜視図である。
【図１０】本発明の一実施形態のテーブルシステムの第一テーブル什器が備えるダクトを下方から見上げた斜視図である。
【図１１】本発明の一実施形態のテーブルシステムの第一テーブル什器が備えるダクトの断面図である。
【図１２】本発明の一実施形態におけるテーブルシステムが備えるモニタースタンドの要部を示す正面図である。
【図１３】本発明の一実施形態におけるテーブルシステムが備えるモニタースタンドの要部を示す側面図である。
【図１４】（ａ）が本発明の一実施形態におけるテーブルシステムが備えるコンソールボックスの斜視図であり、（ｂ）が本発明の一実施形態におけるテーブルシステムが備えるコンソールボックスの断面を模式的に示した図である。
【図１５】（ａ）が本発明の一実施形態におけるテーブルシステムが備えるコンソールボックスの平面図であり、（ｂ）が本発明の一実施形態におけるテーブルシステムが備えるコンソールボックスの正面図であり、（ｃ）が本発明の一実施形態におけるテーブルシステムが備えるコンソールボックスの下面図である。
【図１６】（ａ）が図１５のＡ−Ａ線断面図であり、（ｂ）が図１５のＢ−Ｂ線断面図である。
【図１７】本発明の一実施形態におけるテーブルシステムが備えるバックパネルの全体図である。
【図１８】本発明の一実施形態におけるテーブルシステムが備えるアンダーカバーの全体図である。
【図１９】全ての引出しが収容された状態における本発明の一実施形態における第一テーブル什器及び第二テーブル什器を含むテーブルシステムにおける模式的な配線図である。
【発明を実施するための形態】
【００１８】
以下、図面を参照して、本発明に係るテーブルシステムの一実施形態について説明する。なお、以下の図面においては、各部材を認識可能な大きさとするために、各部材の縮尺を適宜変更している。
【００１９】
本実施形態においては、第一テーブル什器１００、第二テーブル什器２００及びモニタースタンド３００を備えるテーブルシステム１について説明する。図１は、全ての引出し本体２１が収容された状態における本実施形態のテーブルシステム１の斜視図である。また、図２は、引出し本体２１が引き出された状態における本実施形態のテーブルシステム１の斜視図である。また、図３は、本実施形態のテーブルシステム１の分解斜視図である。なお、以下においては、説明の便宜上、図１〜図３の矢印に示すように、第一テーブル什器１００、第二テーブル什器２００及びモニタースタンド３００が連結される方向を左右方向とし、これと直交する水平方向を前後方向とする。
【００２０】
第一テーブル什器１００は、天板１１、脚部１２、引出し機構１３及びダクト１４を備えている。天板１１は、上面が作業面１１ａとされた板状部材である。この天板１１は、平面視形状が正方形（矩形）とされており、作業面１１ａがコンセント等の設けられていない平面とされている。このような天板１１は、上方から見て、４つの辺が各々前側、後側、左側、右側に向くように配置されている。なお、天板１１の裏面（下面）側には、脚部１２等をビス止めするためのビス穴が複数設けられている。
【００２１】
図４は、天板１１を省略した第一テーブル什器１００の斜視図である。この図に示すように、脚部１２は、４か所に設けられており、図１〜３に示すように天板１１の角部に設けられている。なお、以下の説明では、天板１１の前側を向く辺と右側向く辺とによって形成される角部に設けられた脚部１２を第１脚部１２ａと称し、右側を向く辺と後側を向く辺とによって形成される角部に設けられた脚部１２を第２脚部１２ｂと称し、後側を向く辺と左側を向く辺とによって形成される角部に設けられた脚部１２を第３脚部１２ｃと称し、左側を向く辺と前側を向く辺とによって形成される角部に設けられた脚部１２を第４脚部１２ｄと称する。
【００２２】
図５は、第１脚部１２ａの３面図であり、（ａ）が平面図、（ｂ）が右側から見た側面図、（ｃ）が前側から見た側面図である。これらの図に示すように、第１脚部１２ａは、連結部１４０と、支持部１５０とを備えている。連結部１４０は、天板１１の下面に連結可能とされたブロック状の部位である。この連結部１４０は、図５（ａ）に示すように、直交して接続される２つの側面１４１を有している。このような連結部１４０は、これらの側面１４１が天板１１の側面と面一となるように、上面１４２が天板１１の下面に当接された状態で天板１１に対してネジ止めされている。
【００２３】
また、連結部１４０の側面１４１の高さは、第１引出し機構１３ａの引出し本体２１の高さと同じに設定されている。また、連結部１４０の側面１４１の端部１４３は、図６の要部拡大図に示すように、第１引出し機構１３ａの引出し本体２１側に大きく張り出された位置に設けられている。この端部１４３の位置は、例えば、設計上、第１引出し機構１３ａの引出し本体２１の幅が先に定まっている場合には、この第１引出し機構１３ａの引出し本体２１の端部（後述する端部２３１）に近接するように設定される。
【００２４】
支持部１５０は、連結部１４０から下方に延在する棒状の部位であり、その下端部１５１が床面に対して当接される。また、本実施形態においては、支持部１５０の下端部１５１は、前後方向に向けて配置される回転軸によって回転可能に支持されたローラとされている。なお、図６の変形例に示すように、支持部１５０がアジャスタからなる下端部１５２とすることも可能である。なお、図７において、（ａ）はアジャスタからなる下端部１５２を有する支持部１５０の右側から見た側面図であり、（ｃ）が前側みた側面図である。また支持部１５０の下端部は、前後左右いずれかの方向にも回転可能な自在式のキャスタとすることも可能である。
【００２５】
第２脚部１２ｂ、第３脚部１２ｃ及び第４脚部１２ｄは、取付位置及び取付向きが異なるが、第１脚部１２ａと略同一の構成とされていることから、ここでの詳細な説明は省略する。ただし、第２脚部１２ｂ、第３脚部１２ｃ及び第４脚部１２ｄは、支持部１５０の下端部１５１が、第１脚部１２ａの下端部１５１と同一方向（すなわち左右方向）に回転可能なローラとされている。これによって、第一テーブル什器１００は、ローラの回転によって左右方向に滑らかに移動することが可能とされている。
【００２６】
引出し機構１３は、脚部１２同士の間に配置されている。本実施形態においては、全ての脚部１２同士の間に引出し機構１３が設置されている。なお、以下の説明では、第１脚部１２ａと第２脚部１２ｂとの間に設置された引出し機構１３を第１引出し機構１３ａと称し、第２脚部１２ｂと第３脚部１２ｃとの間に設置された引出し機構１３を第２引出し機構１３ｂと称し、第３脚部１２ｃと第４脚部１２ｄとの間に設置された引出し機構１３を第３引出し機構１３ｃと称し、第４脚部１２ｄと第１脚部１２ａとの間に設置された引出し機構１３を第４引出し機構１３ｄと称する。
【００２７】
第１引出し機構１３ａは、支持レール２０（支持手段）と、引出し本体２１とから構成されている。支持レール２０は、天板１１の裏面に固定されており、引出し本体２１をスライド可能に支持する。この支持レール２０は、１つの引出し本体２１に対して２つ設けられており、一方の支持レール２０が引出し本体２１の引出し方向と直交する方向（前後方向）における一方の端部を支持し、他方の支持レール２０が引出し本体２１の他方の端部を支持する。
【００２８】
図８は、引出し本体２１の斜視図であり、（ａ）が引出し本体２１のみを示す斜視図であり、（ｂ）が引出し本体２１に加えて電源配線Ｈ１及びＬＡＮ配線Ｈ２を図示した斜視図である。これらの図に示すように、引出し本体２１は、底板２２と、前面パネル２３と、背面パネル２４と、側面パネル２５とを備えている。底板２２は、略矩形状の板部材であり、前面パネル２３と、背面パネル２４と、側面パネル２５とを支持する。
【００２９】
前面パネル２３は、底板２２の右側の縁に沿うように底板２２に対して立設された立片である。この前面パネル２３には、図８に示すように、上方に向けて開放された凹部からなる配線挿通部２３ａが設けられている。この配線挿通部２３ａは、引出し本体２１の内部と外部とを連通する開口であり、引出し本体２１が収納状態であっても引出し本体２１の外部から内部または内部から外部に電源配線Ｈ１及びＬＡＮ配線Ｈ２を引き回すことを可能とする部位である。なお、第１引出し機構１３ａにおいては、配線挿通部２３ａは、引出し本体２１を引き出すための取っ手としても機能する。
【００３０】
背面パネル２４は、底板２２の左側の縁に沿うように底板２２に対して立設された立片である。この背面パネル２４には、図８に示すように、上方に向けて開放された凹部からなる第１配線挿通部２４ａ、第２配線挿通部２４ｂ及び第３配線挿通部２４ｃが設けられている。これらの第１配線挿通部２４ａ、第２配線挿通部２４ｂ及び第３配線挿通部２４ｃは、前面パネル２３の配線挿通部２３ａと同様に、引出し本体２１が収納状態であっても引出し本体２１の外部から内部または内部から外部に電源配線Ｈ１及びＬＡＮ配線Ｈ２を引き回すことを可能とする部位である。
【００３１】
第１配線挿通部２４ａは、第２配線挿通部２４ｂ及び第３配線挿通部２４ｃに対して広く形成されており、太い配線や位置調整が必要な配線を挿通させるのに適している。第２配線挿通部２４ｂ及び第３配線挿通部２４ｃは、第１配線挿通部２４ａより狭い開口とされており、細い配線や移動させる必要のない配線を挿通させるのに適している。
【００３２】
また、第２配線挿通部２４ｂ及び第３配線挿通部２４ｃには、これらの第２配線挿通部２４ｂ及び第３配線挿通部２４ｃを囲って配設されると共に切欠き２４ｅが形成された可撓性環状部材２４ｄが設けられている。この可撓性環状部材２４ｄは、可撓性環状部材２４ｄを切断するように設けられた切欠き２４ｅを通じて電源配線Ｈ１及びＬＡＮ配線Ｈ２を出し入れ可能とされている。このような可撓性環状部材２４ｄを設けることによって、第２配線挿通部２４ｂ及び第３配線挿通部２４ｃに挿通された電源配線Ｈ１及びＬＡＮ配線Ｈ２が第２配線挿通部２４ｂ及び第３配線挿通部２４ｃから抜け出ることを防止することができる。
【００３３】
側面パネル２５は、前面パネル２３と背面パネル２４の端部同士に接続された立片である。この側面パネル２５の外面側には、支持レール２０に当接される突出部２０ａが設けられている。
【００３４】
このように、引出し本体２１は、底板２２と、底板２２から上方に向かって延在すると共に引出し本体２１の内部と引出し本体２１の外部とを連通する配線挿通部（配線挿通部２３ａ、第１配線挿通部２４ａ、第２配線挿通部２４ｂ及び第３配線挿通部２４ｃ）を有する立片（前面パネル２３及び背面パネル２４）とを有する箱状の部材とされている。
【００３５】
このような第１引出し機構１３ａの引出し本体２１は、図６に示すように、隣り合う脚部１２である第１脚部１２ａと第２脚部１２ｂの連結部１４０間において、これらの連結部１４０と前面パネル２３の端部２３１とが前後方向（水平方向）に隙間が生じないように配置されている。なお、ここで言う隙間が生じていないとは、前面パネル２３の端部２３１と連結部１４０の側面１４１の端部１４３とが、当接している場合に限定されるものではなく、第１引出し機構１３ａの引出し本体２１の出し入れを阻害しない程度に僅かに離間している場合も含むものである。具体的には、一般的な体型の作業者の下肢が入り込まないように、連結部１４０の端部１４３と前面パネル２３の端部２３１とが近接して配置されていることを意味している。
【００３６】
また、第１引出し機構１３ａの引出し本体２１ａは、収容状態において、前面パネル２３の表面（すなわち第１引出し機構１３ａの引出し本体２１の前面）と、第１脚部１２ａ及び第２脚部１２ｂの連結部１４０の側面１４１とが面一となる位置に配設されている。さらに、第１引出し機構１３ａの引出し本体２１は、第１脚部１２ａ及び第２脚部１２ｂの連結部１４０の下面１４４と第１引出し機構１３ａの引出し本体２１の前面パネル２３の下面１４４（すなわち第１引出し機構１３ａの引出し本体２１の下面）とが同じ高さとなる位置に配設されている。このような第１引出し機構１３ａの引出し本体２１は、収容状態において、前面が第１脚部１２ａ及び第２脚部１２ｂの連結部１４０の側面１４１と面一となり、下面が第１脚部１２ａ及び第２脚部１２ｂの連結部１４０の下面１４４と面一となる。このため、第１引出し機構１３ａの引出し本体２１ａが収容状態のときには、第１引出し機構１３ａの引出し本体２１と第１脚部１２ａ及び第２脚部１２ｂの連結部１４０とが図６に示すように、一体的となる。
【００３７】
第２引出し機構１３ｂ、第３引出し機構１３ｃ及び第４引出し機構１３ｄは、引出し本体２１及び支持レール２０の向きが異なる。例えば、第２引出し機構１３ｂの引出し本体２１は、前面パネル２３が後側を向けて配置される。第３引出し機構１３ｃの引出し本体２１は、前面パネル２３が左側を向けて配置される。第４引出し機構１３ｄの引出し本体２１は、前面パネル２３が前側を向けて配置される。
【００３８】
第２引出し機構１３ｂの引出し本体２１は、前面パネル２３が後側を向いて配置される収容容器であり、天板１１の下面に設置された不図示のレールによって、前後方向に移動可能に支持されている。この第２引出し機構１３ｂの引出し本体２１も、物品を出し入れしないときは図１に示すように天板１１の下側に収容された状態（収容状態）とされ、物品を出し入れするときは図２に示すように天板１１の側方に引き出された状態とされる。
【００３９】
このような第２引出し機構１３ｂの引出し本体２１は、隣り合う脚部１２である第２脚部１２ｂと第３脚部１２ｃの連結部１４０間において、これらの連結部１４０と前面パネル２３の端部２３１とが左右方向（水平方向）に隙間が生じないように配置されている。
【００４０】
また、第２引出し機構１３ｂの引出し本体２１は、収容状態において、前面パネル２３の表面（すなわち第２引出し機構１３ｂの引出し本体２１の前面）と、第２脚部１２ｂ及び第３脚部１２ｃの連結部１４０の側面１４１とが面一となる位置に配設されている。さらに、第２引出し機構１３ｂの引出し本体２１は、第２脚部１２ｂ及び第３脚部１２ｃの連結部１４０の下面１４４と第２引出し機構１３ｂの引出し本体２１の前面パネル２３の下面１４４（すなわち第２引出し機構１３ｂの引出し本体２１の下面）とが同じ高さとなる位置に配設されている。このような第２引出し機構１３ｂの引出し本体２１は、収容状態において、前面が第２脚部１２ｂ及び第３脚部１２ｃの連結部１４０の側面１４１と面一となり、下面が第２脚部１２ｂ及び第３脚部１２ｃの連結部１４０の下面１４４と面一となる。このため、第２引出し機構１３ｂの引出し本体２１が収容状態のときには、第２引出し機構１３ｂの引出し本体２１と第２脚部１２ｂ及び第３脚部１２ｃの連結部１４０とが一体的となる。
【００４１】
第３引出し機構１３ｃの引出し本体２１は、前面パネル２３が左側を向いて配置される収容容器であり、天板１１の下面に設置された不図示のレールによって、左右方向に移動可能に支持されている。この第３引出し機構１３ｃの引出し本体２１も、物品を出し入れしないときは図１に示すように天板１１の下側に収容された状態（収容状態）とされ、物品を出し入れするときは図２に示すように天板１１の側方に引き出された状態とされる。
【００４２】
このような第３引出し機構１３ｃの引出し本体２１は、隣り合う脚部１２である第３脚部１２ｃと第４脚部１２ｄの連結部１４０間において、これらの連結部１４０と前面パネル２３の端部２３１とが前後方向（水平方向）に隙間が生じないように配置されている。
【００４３】
また、第３引出し機構１３ｃの引出し本体２１は、収容状態において、前面パネル２３の表面（すなわち第３引出し機構１３ｃの引出し本体２１の前面）と、第３脚部１２ｃと第４脚部１２ｄの連結部１４０の側面１４１とが面一となる位置に配設されている。さらに、第３引出し機構１３ｃの引出し本体２１は、第３脚部１２ｃと第４脚部１２ｄの連結部１４０の下面１４４と第３引出し機構１３ｃの引出し本体２１の前面パネル２３の下面１４４（すなわち第３引出し機構１３ｃの引出し本体２１の下面）とが同じ高さとなる位置に配設されている。このような第３引出し機構１３ｃの引出し本体２１は、収容状態において、前面が第３脚部１２ｃと第４脚部１２ｄの連結部１４０の側面１４１と面一となり、下面が第３脚部１２ｃと第４脚部１２ｄの連結部１４０の下面１４４と面一となる。このため、第３引出し機構１３ｃの引出し本体２１が収容状態のときには、第３引出し機構１３ｃの引出し本体２１と第３脚部１２ｃと第４脚部１２ｄの連結部１４０とが一体的となる。
【００４４】
第４引出し機構１３ｄの引出し本体２１は、前面パネル２３が前側を向いて配置される収容容器であり、天板１１の下面に設置された不図示のレールによって、前後方向に移動可能に支持されている。この第４引出し機構１３ｄの引出し本体２１も、物品を出し入れしないときは図１に示すように天板１１の下側に収容された状態（収容状態）とされ、物品を出し入れするときは図２に示すように天板１１の側方に引き出された状態とされる。
【００４５】
このような第４引出し機構１３ｄの引出し本体２１は、隣り合う脚部１２である第４脚部１２ｄと第１脚部１２ａの連結部１４０間において、これらの連結部１４０と前面パネル２３の端部２３１とが左右方向（水平方向）に隙間が生じないように配置されている。
【００４６】
また、第４引出し機構１３ｄの引出し本体２１は、収容状態において、前面パネル２３の表面（すなわち第４引出し機構１３ｄの引出し本体２１の前面）と、第４脚部１２ｄと第１脚部１２ａの連結部１４０の側面１４１とが面一となる位置に配設されている。さらに、第４引出し機構１３ｄの引出し本体２１は、第４脚部１２ｄと第１脚部１２ａの連結部１４０の下面１４４と第４引出し機構１３ｄの引出し本体２１の前面パネル２３の下面１４４（第４引出し機構１３ｄの引出し本体２１の下面）とが同じ高さとなる位置に配設されている。このような第４引出し機構１３ｄの引出し本体２１は、収容状態において、前面が第４脚部１２ｄと第１脚部１２ａの連結部１４０の側面１４１と面一となり、下面が第４脚部１２ｄと第１脚部１２ａの連結部１４０の下面１４４と面一となる。このため、第４引出し機構１３ｄの引出し本体２１が収容状態のときには、第４引出し機構１３ｄの引出し本体２１と第４脚部１２ｄと第１脚部１２ａの連結部１４０とが一体的となる。
【００４７】
図１及び図２に戻り、ダクト１４は、上方から見て天板１１の中央に配置されるように、天板１１の下面に吊り下げ支持されている。図９は、ダクト１４と、第４引出し機構１３ｄの引出し本体２１とを含む斜視図である。また、図１０は、ダクト１４を下方から見上げた斜視図である。また、図１１は、ダクト１４の断面図である。これらの図に示すように、ダクト１４は、基部１４ａと、前後片１４ｂと、内向き片１４ｃと、外向き片１４ｄと、第１係止片１４ｅと、第２係止片１４ｆとを備えている。
【００４８】
基部１４ａは、天板１１の下面と並行な平板状の部位である。前後片１４ｂは、基部１４ａの前後端から下方に向かって垂下して設けられている。前後片１４ｂは、基部１４ａの前側の端部と後側の端部とに各々設けられており、これら２つの前後片１４ｂで一対とされている。このような前後片１４ｂは、基部１４ａの前後端の全域に設けられている。また、各前後片１４ｂには、ダクト１４の外側と内側とを連通する貫通孔１４ｇを備えている。この貫通孔１４ｇは、引出し本体２１の第１配線挿通部２４ａと対向する位置に設けられている。
【００４９】
内向き片１４ｃは、各前後片１４ｂの下端から他方の前後片１４ｂに向かって水平に延設される部位である。これらの内向き片１４ｃは、第一テーブル什器１００と第二テーブル什器２００との間で架け渡される配線である電源配線Ｈ１が載置される。外向き片１４ｄは、各前後片１４ｂの下端から他方の前後片１４ｂと反対側に向かって水平に延設される部位である。これらの外向き片１４ｄは、天板１１で使用される電子機器と接続されるＬＡＮ配線Ｈ２が載置される。
【００５０】
第１係止片１４ｅは、内向き片１４ｃの内側端に立設されると共に上端が基部１４ａと離間されている部位である。この第１係止片１４ｅは、内向き片１４ｃに載置される電源配線Ｈ１が落下することを防止する。また、図１１に示すように、基部１４ａと、前後片１４ｂと、内向き片１４ｃと、第１係止片１４ｅとによって囲まれる空間は、後述の電源タップＨ１２の断面形状よりも僅かに大きく、当該電源タップＨ１２が収容される。さらに、第１係止片１４ｅと基部１４ａとの隙間寸法は、電源タップＨ１２の高さ寸法よりも小さく設定されている。これによって、電源タップＨ１２が内向き片１４ｃから脱落することを防止することができる。なお、図１０に示すように、第１係止片１４ｅは、左右方向における中央部において設けられていない。この第１係止片１４ｅが設けられていない領域を介して、基部１４ａと、前後片１４ｂと、内向き片１４ｃと、第１係止片１４ｅとによって囲まれる空間に電源タップＨ１２を差し込むことが可能とされている。
【００５１】
第２係止片１４ｆは、外向き片１４ｄの外側端に立設されると共に上端が基部１４ａと離間されている部位である。この第２係止片１４ｆは、外向き片１４ｄに載置されるＬＡＮ配線Ｈ２が落下することを防止する。
【００５２】
第二テーブル什器２００は、第一テーブル什器１００と略同一の構成を有している。ここでは、第二テーブル什器２００の第一テーブル什器１００と異なる点のみについて説明する。
【００５３】
第二テーブル什器２００の各脚部１２の下端部には、第一テーブル什器１００の各脚部１２の下端部に設けられているローラに替わり、アジャスタが設けられている。これは、第一テーブル什器１００は、テーブルシステム１の使用態様に柔軟に対応するために、第二テーブル什器２００及びモニタースタンド３００に対して移動可能とされているのに対して、第二テーブル什器２００は、あまり移動させることがないモニタースタンド３００と連結されており、移動することを前提としていないためである。
【００５４】
また、第二テーブル什器２００においては、第一テーブル什器１００における第３引出し機構１３ｃの引出し本体２１が取り外されている。このように、第３引出し機構１３ｃの引出し本体２１が取り外されることによって、後述するモニタースタンド３００の固定用アーム３３が挿入される凹所２０１（図１２参照）が形成される。この凹所２０１は、第二テーブル什器２００の脚部１２同士の間に設けられるものであり、天板１１の下面側に設けられ、下方に向けて開放されると共に天板１１の側面側が開口端とされている。
【００５５】
図１２及び図１３は、モニタースタンド３００の全体図であり、図１２がコンソールボックス３２、バックパネル３７及びアンダーカバー３８を除いた正面図（図１における右側から見た図）であり、図１３がコンソールボックス３２を含む側断面図（図１における後側から見た図）である。このようなモニタースタンド３００は、脚部３０と、配線トレイ３１と、コンソールボックス３２と、固定用アーム３３と、支持用アーム３４と、水平支持部３５と、ブラケット３６と、バックパネル３７（カバー体）と、アンダーカバー３８（カバー体）とを備えている。
【００５６】
脚部３０は、床面に対して当接される２つで一対の脚体部３０ａと、これらの脚体部３０ａ同士を接続する接続部３０ｂとを備えている。脚体部３０ａは、脱着可能な蓋部３０ｃが設けられた中空体であり、内部に配線を通すことが可能に構成されている。蓋部３０ｃは、各脚体部３０ａの他の脚体部３０ａ側の側壁として設けられている。この蓋部３０ｃは、下端に貫通孔３０ｄが設けられると共に上端が配線トレイ３１よりも低い位置において脚体部３０ａの内部が露出するような長さに設定されている。これによって、脚体部３０ａの下端と、配線トレイ３１の接続位置近傍において、脚体部３０ａの内部に配線の引き込みが可能とされている。接続部３０ｂは、脚体部３０ａの上端部同士を連結している。この接続部３０ｂは、コンソールボックス３２と、固定用アーム３３と、支持用アーム３４とが固定される基台としても機能する。
【００５７】
配線トレイ３１は、接続部３０ｂよりも下方において、一端が一方の脚体部３０ａに、他端が他方の脚体部３０ａに接続されることによって、水平姿勢にて支持されている。この配線トレイ３１は、延在方向と直交する断面の形状が凹状とされており、脚体部３０ａの内部から引き出された配線の一部を収容かつ案内する。このような配線トレイ３１によって、配線が絡まる等の不具合を防止することができる。
【００５８】
コンソールボックス３２（図１〜３参照）は、固定用アーム３３を介して接続部３０ｂ上に配置されており、電子機器を収容するための箱部材である。このコンソールボックス３２は、天板１１側に配置される前面パネル３２ａ（蓋部）が開閉可能とされており、前面パネル３２ａを開放することによって、内部に電子機器を設置したり、内部に設置された電子機器を操作したりすることが可能とされている。なお、このようなコンソールボックス３２に収容される電子機器Ｄとしては、例えば、床から引き出されたＬＡＮ配線を、第一テーブル什器１００あるいは第二テーブル什器２００にて作業を行う複数の作業者の各パーソナルコンピュータに分岐するためのハブやルータ等が考えられる。
【００５９】
図１４〜図１６は、コンソールボックス３２を示す図である。図１４（ａ）はコンソールボックス３２の斜視図であり、図１４（ｂ）はコンソールボックス３２の断面を模式的に示した図である。また、図１５（ａ）はコンソールボックス３２の平面図であり、図１５（ｂ）はコンソールボックス３２の正面図であり、図１５（ｃ）はコンソールボックス３２の下面図である。また、図１６（ａ）は図１５のＡ−Ａ線断面図であり、図１６（ｂ）は図１５のＢ−Ｂ線断面図である。なお、図１４においては、後述の開閉支持機構３２ｆを省略して図示している。
【００６０】
これらの図に示すように、コンソールボックス３２は、上述の前面パネル３２ａの他、底板３２ｂ、天井板３２ｃ、側面パネル３２ｄ、背面パネル３２ｅ、開閉支持機構３２ｆ及び仕切板３２ｇを備えている。
【００６１】
前面パネル３２ａは、両端に設置された開閉支持機構３２ｆによって、図１４（ｂ）に示すように、上端側を回動中心として開閉可能とされている。この前面パネル３２ａの下端側の縁部の中央には切欠きが設けられており、この切欠きがコンソールボックス３２の内外を連通する配線挿通部３２ｈとされている。この配線挿通部３２ｈは、コンソールボックス３２の内部に収容される電子機器Ｄ（図１４参照）と天板１１の作業面１１ａに載置されたパーソナルコンピュータ等とを接続する配線が前面パネル３２ａを閉じたまま通過可能とする部位である。
【００６２】
なお、コンソールボックス３２の内部には、例えば、天板１１の作業面１１ａに載置されたパーソナルコンピュータとモニターＭとを無線接続するためのルータ等が設置される可能性もある。このような無線通信を可能とする機器との通信を阻害しないよう、少なくとも前面パネル３２ａは、無線通信に使用する電波帯域を通過可能な材料（樹脂や木材）で形成されていることが好ましい。
【００６３】
底板３２ｂは、コンソールボックス３２の底部を形成しており、第二テーブル什器２００の天板１１に隣接配置されるように、固定用アーム３３に対してボルト３３ｂによって固定されている。この底板３２ｂは、その上面が電子機器Ｄ等を載置する載置面３２ｉとされている。本実施形態においては、図１３に示すように、底板３２ｂの載置面３２ｉと、天板１１の作業面１１ａとは面一とされている。
【００６４】
また、図１５（ｃ）に示すように、底板３２ｂの背面パネル３２ｅ側の縁部の中央には、切欠きからなる配線挿通部３２ｊが設けられている。この配線挿通部３２ｊは、コンソールボックス３２の下方からコンソールボックス３２の内部に配線を引き込む、またはコンソールボックス３２の内側からコンソールボックス３２の下方に配線を引き出すために、コンソールボックス３２の内外を連通する部位である。
【００６５】
天井板３２ｃは、上部を覆う天井部を形成しており、底板３２ｂの上方にて底板３２ｂに対向配置されている。また、図１５（ａ）に示すように、天井板３２ｃの背面パネル３２ｅ側の縁部の中央には、切欠きからなる配線挿通部３２ｋが設けられている。この配線挿通部３２ｋは、コンソールボックス３２の上方からコンソールボックス３２の内部に配線を引き込む、またはコンソールボックス３２の内側からコンソールボックス３２の上方に配線を引き出すために、コンソールボックス３２の内外を連通する部位である。
【００６６】
底板３２ｂに形成された配線挿通部３２ｊと天井板３２ｃに形成された配線挿通部３２ｋとは、平面視において重ねて設けられている。このため、図１４（ｂ）に示すように、例えば、床から引き出された電源配線Ｈ１をモニターＭまで直線状に引き回すことが可能とされている。
【００６７】
側面パネル３２ｄはコンソールボックス３２の側壁を形成し、また背面パネル３２ｅはコンソールボックス３２の背面壁を形成している。これらの前面パネル３２ａと、底板３２ｂと、天井板３２ｃと、側面パネル３２ｄと、背面パネル３２ｅとが組み上げられることにより、コンソールボックス３２は箱状とされている。
【００６８】
開閉支持機構３２ｆは、側面パネル３２ｄの内面と、前面パネル３２ａの内面とに接続されており、前面パネル３２ａを開閉可能に支持している。この開閉支持機構３２ｆは、前面パネル３２ａの両端側に各々設けられている。仕切板３２ｇは、コンソールボックス３２の内部を複数の区画に仕切るものであり、本実施形態においてはコンソールボックス３２の内部を３つの区画に仕切るためにコンソールボックス３２の内部に２枚設置されている。これらの仕切板３２ｇは、隣接する区画間においてスムーズに配線の引き回しが可能となるように、底板３２ｂの載置面３２ｉとの間に隙間を空けるようにして支持されている。
【００６９】
図１２及び図１３に戻り、固定用アーム３３は、脚部３０から側方に向けて延設される角材からなる部位であり、第二テーブル什器２００の第３引出し機構１３ｃの引出し本体２１が取り外されることによって形成された凹所２０１に挿入されている。この固定用アーム３３は、引出し本体２１の奥行と略同一の長さを有しており、先端側と中央部とにおいてボルト３３ａによって、第二テーブル什器２００の天板に対して固定されている。また、この固定用アーム３３は、根元側にコンソールボックス３２がボルト３３ｂによって固定されている。
【００７０】
このような固定用アーム３３は、図１〜３等に示すように、前後方向に離間して平行に２本備えられている。これらの固定用アーム３３は、凹所２０１に挿入されている状態にて、図１２に示すように、凹所２０１の水平方向の各端部に配置されており、第二テーブル什器２００とモニタースタンド３００とが図１〜３に示す前後方向に相対的に水平移動することを防止する。
【００７１】
支持用アーム３４は、下端が固定用アーム３３の根元端と一体化され、脚部３０側から上方に向けて延設される角材からなる部位である。この支持用アーム３４は、各固定用アーム３３に接続されており、固定用アーム３３と一体化されることによって、略Ｌ字状の部材を形成している。これらの支持用アーム３４は、水平支持部３５及びブラケット３６を介し、モニターＭ（図１及び図２参照）を支持する。
【００７２】
水平支持部３５は、２本の支持用アーム３４同士に接続された角材であり、上下方向に離間して２本備えられている。ブラケット３６は、モニターＭの背面に装着され、図１３に示す係止金具３６ａによって水平支持部３５に係止される。より詳細には、図４に示すように、ブラケット３６の上端側と下端側との各々に水平支持部３５に上方から係止可能な係止金具３６ａが取り付けられており、これらの係止金具３６ａが水平支持部３５に上方から係止されることによってブラケット３６が水平支持部３５に対して取り付けられる。また、ブラケット３６には、図１３に示すように、抜け止め用のビス３６ｂが着脱自在に設けられている。この抜け止め用のビス３６ｂは、ブラケット３６を水平支持部３５に対して着脱するときには取り外され、ブラケット３６が水平支持部３５に固定されているときには取り付けられてブラケット３６の脱落を防止する。より詳細には、抜け止め用のビス３６ｂは、ブラケット３６が水平支持部３５に取り付けられたときに水平支持部３５の下方に配置されるように設けられており、ブラケット３６が上方へ移動しようとしたときに水平支持部３５と当接することによってブラケット３６の移動を規制し、これによってブラケット３６の脱落を防止する。
【００７３】
図１７は、バックパネル３７を示す図であり、（ａ）が正面図、（ｂ）が平面図、（ｃ）が（ａ）のＡ−Ａ断面図である。これらの図に示すように、バックパネル３７は、パネル本体３７ａと、取付金具３７ｂとから構成されている。パネル本体３７ａは、支持用アーム３４の背面側を覆う板部材であり、支持用アーム３４の側方及び背面を覆うように、上方から見て略コの字状に成形されている。取付金具３７ｂは、バックパネル３７の支持用アーム３４側の面に対して２つ固定されており、支持用アーム３４に係止されることによってバックパネル３７を支持用アーム３４に対して取り付けるための部材である。
【００７４】
図１８は、アンダーカバー３８を示す図であり、（ａ）が正面図、（ｂ）が平面図、（ｃ）が（ａ）のＡ−Ａ断面図である。これらの図に示すように、アンダーカバー３８は、カバー本体３８ａと、取付金具３８ｂとから構成されている。カバー本体３８ａは、脚部３０の背面側を覆う板部材であり、脚部３０の側方及び背面を覆うように、上方から見て略コの字状に成形されている。取付金具３８ｂは、アンダーカバー３８の脚部３０側の面に対して２つ固定されており、脚部３０に対して固定される。取付金具３８ｂが脚部３０に固定されることで、アンダーカバー３８全体が脚部３０に対して固定される。
【００７５】
このような構成を有する本実施形態のテーブルシステム１においては、第一テーブル什器１００、第二テーブル什器２００及びモニタースタンド３００は、左右方向に配列されて連結されている。モニタースタンド３００と第二テーブル什器２００とは、モニタースタンド３００の固定用アーム３３が、取り外された第３引出し機構１３ｃの引出し本体２１の収容空間に挿入され、この固定用アーム３３が第二テーブル什器２００の天板１１に固定されることによって連結されている。
【００７６】
第二テーブル什器２００と第一テーブル什器１００とは、第二テーブル什器２００の第１引出し機構１３ａと、第一テーブル什器１００の第３引出し機構１３ｃとが対向するようにして、不図示の連結器具によって連結されている。このように第二テーブル什器２００と第一テーブル什器１００とが連結されることによって、本実施形態においては、第二テーブル什器２００の第１引出し機構１３ａの引出し本体２１と、第一テーブル什器１００の第３引出し機構１３ｃの引出し本体２１とは、図２に示すように、引き出すことはできなくなっている。
【００７７】
また、本実施形態のテーブルシステム１においては、第一テーブル什器１００及び第二テーブル什器２００が、本発明のテーブル什器に相当する。本発明のテーブル什器は、他の什器である連結什器と連結可能なものである。ここで、第一テーブル什器１００をテーブル什器として見た場合には、第二テーブル什器２００が本発明における連結什器に相当し、第二テーブル什器２００テーブル什器として見た場合には、第一テーブル什器１００及びモニタースタンド３００が本発明における連結什器に相当する。つまり、第一テーブル什器１００及び第二テーブル什器２００は、本発明のテーブル什器に相当すると同時に本発明の連結什器にも相当する。
【００７８】
図１９は、本実施形態のテーブルシステム１において引き回される電源配線Ｈ１及びＬＡＮ配線Ｈ２を模式的に示す配線図である。床面から引き出された電源配線Ｈ１は、電源タップ付きの配線が複数接続されることによって形成されており、図１９に示すように、モニタースタンド３００に引き込まれ、モニタースタンド３００から第二テーブル什器２００の天板１１の下側を通り、第二テーブル什器２００のダクト１４の内向き片１４ｃに載置される。この電源配線Ｈ１は、第二テーブル什器２００のダクト１４の内向き片１４ｃに載置された電源タップＨ１１から、第二テーブル什器２００の第１引出し機構１３ａ方向と、第２引出し機構１３ｂ方向と、第４引出し機構１３ｄ方向との３方向に分岐されている。
【００７９】
第二テーブル什器２００のダクト１４から第１引出し機構１３ａ方向に分岐された電源配線Ｈ１は、第二テーブル什器２００の第１引出し機構１３ａの引出し本体２１に設けられた第１配線挿通部２４ａを通じて当該引出し本体２１の内部に引き込まれ、また配線挿通部２３ａを通じて当該引出し本体２１の外部に送り出されている。
【００８０】
さらに、当該電源配線Ｈ１は、第一テーブル什器１００の第３引出し機構１３ｃの引出し本体２１に設けられた配線挿通部２３ａを通じて当該引出し本体２１の内部に引き込まれ、また第１配線挿通部２４ａを通じて当該引出し本体２１の外部に送り出されている。このように第一テーブル什器１００の第３引出し機構１３ｃの引出し本体２１から送り出された電源配線Ｈ１は、第一テーブル什器１００のダクト１４の内向き片１４ｃに載置される。この電源配線Ｈ１は、第一テーブル什器１００のダクト１４の内向き片１４ｃに載置された電源タップＨ１２から、第一テーブル什器１００の第１引出し機構１３ａ方向と、第２引出し機構１３ｂ方向と、第４引出し機構１３ｄ方向との３方向に分岐されている。
【００８１】
第二テーブル什器２００の電源タップＨ１１から第二テーブル什器２００の第２引出し機構１３ｂ方向に分岐された電源配線Ｈ１は、電源タップＨ１３が第二テーブル什器２００の第２引出し機構１３ｂの引出し本体２１に収容されるように、第二テーブル什器２００のダクト１４の貫通孔１４ｇと、当該引出し本体２１の第２配線挿通部２４ｂとを通じて引き回されている。また、第二テーブル什器２００の電源タップＨ１１から第二テーブル什器２００の第４引出し機構１３ｄ方向に分岐された電源配線Ｈ１は、電源タップＨ１４が第二テーブル什器２００の第４引出し機構１３ｄの引出し本体２１に収容されるように、第二テーブル什器２００のダクト１４の貫通孔１４ｇと、当該引出し本体２１の第２配線挿通部２４ｂとを通じて引き回されている。
【００８２】
また、第一テーブル什器１００の電源タップＨ１２から第一テーブル什器１００の第１引出し機構１３ａ方向に分岐された電源配線Ｈ１は、電源タップＨ１５が第一テーブル什器１００の第１引出し機構１３ａの引出し本体２１に収容されるように、当該引出し本体２１の第２配線挿通部２４ｂを通じて引き回されている。また、第一テーブル什器１００の電源タップＨ１２から第一テーブル什器１００の第２引出し機構１３ｂ方向に分岐された電源配線Ｈ１は、電源タップＨ１６が第一テーブル什器１００の第２引出し機構１３ｂの引出し本体２１に収容されるように、第一テーブル什器１００のダクト１４の貫通孔１４ｇと、当該引出し本体２１の第２配線挿通部２４ｂとを通じて引き回されている。また、第一テーブル什器１００の電源タップＨ１２から第一テーブル什器１００の第４引出し機構１３ｄ方向に分岐された電源配線Ｈ１は、電源タップＨ１７が第一テーブル什器１００の第４引出し機構１３ｄの引出し本体２１に収容されるように、第一テーブル什器１００のダクト１４の貫通孔１４ｇと、当該引出し本体２１の第２配線挿通部２４ｂとを通じて引き回されている。
【００８３】
床面から引き出されたＬＡＮ配線Ｈ２は、コンソールボックス３２に設置された電子機器Ｄ（ハブ）によって、第二テーブル什器２００の第２引出し機構１３ｂ方向と、第二テーブル什器２００の第４引出し機構１３ｄ方向と、第一テーブル什器１００の第１引出し機構１３ａ方向と、第一テーブル什器１００の第２引出し機構１３ｂ方向と、第一テーブル什器１００の第４引出し機構１３ｄ方向との５方向に分岐されている。
【００８４】
第二テーブル什器２００の第２引出し機構１３ｂ方向に分岐されたＬＡＮ配線Ｈ２は、第二テーブル什器２００のダクト１４の外向き片１４ｄに載置され、さらに第二テーブル什器２００の第２引出し機構１３ｂの引出し本体２１に設けられた第２配線挿通部２４ｂを通じて、モジュラージャックＨ２１が当該引出し本体２１に収容されるように引き回されている。また、第二テーブル什器２００の第４引出し機構１３ｄ方向に分岐されたＬＡＮ配線Ｈ２は、第二テーブル什器２００のダクト１４の外向き片１４ｄに載置され、さらに第二テーブル什器２００の第４引出し機構１３ｄの引出し本体２１に設けられた第２配線挿通部２４ｂを通じて、モジュラージャックＨ２２が当該引出し本体２１に収容されるように引き回されている。
【００８５】
また、第一テーブル什器１００の第１引出し機構１３ａ方向に分岐されたＬＡＮ配線Ｈ２は、第二テーブル什器２００のダクト１４の外向き片１４ｄ及び第一テーブル什器１００のダクト１４の外向き片１４ｄに載置され、第二テーブル什器２００の第１引出し機構１３ａの引出し本体２１に設けられた第１配線挿通部２４ａを通じて当該引出し本体２１の内部に引き込まれ、当該引出し本体２１に設けられた配線挿通部２３ａを通じて当該引出し本体２１の外部に送り出される。さらに、第二テーブル什器２００の第１引出し機構１３ａの引出し本体２１から送り出されたＬＡＮ配線Ｈ２は、第一テーブル什器１００の第３引出し機構１３ｃの引出し本体２１に設けられた配線挿通部２３ａを介して引出し本体２１に引き込まれ、当該引出し本体２１に設けられた第１配線挿通部２４ａを通じて当該引出し本体２１の外部に送り出される。さらに、第一テーブル什器１００の第３引出し機構１３ｃの引出し本体２１から送り出されたＬＡＮ配線Ｈ２は、第一テーブル什器１００のダクト１４を通じ、さらに第一テーブル什器１００の第１引出し機構１３ａの引出し本体２１に設けられた第２配線挿通部２４ｂを通じて、モジュラージャックＨ２３が当該引出し本体２１に収容されるように引き回されている。
【００８６】
また、第一テーブル什器１００の第２引出し機構１３ｂ方向に分岐されたＬＡＮ配線Ｈ２は、第二テーブル什器２００のダクト１４の外向き片１４ｄ及び第一テーブル什器１００のダクト１４の外向き片１４ｄに載置され、第二テーブル什器２００の第１引出し機構１３ａの引出し本体２１に設けられた第１配線挿通部２４ａを通じて当該引出し本体２１の内部に引き込まれ、当該引出し本体２１に設けられた配線挿通部２３ａを通じて当該引出し本体２１の外部に送り出される。さらに、第二テーブル什器２００の第１引出し機構１３ａの引出し本体２１から送り出されたＬＡＮ配線Ｈ２は、第一テーブル什器１００の第３引出し機構１３ｃの引出し本体２１に設けられた配線挿通部２３ａを介して引出し本体２１に引き込まれ、当該引出し本体２１に設けられた第１配線挿通部２４ａを通じて当該引出し本体２１の外部に送り出される。さらに、第一テーブル什器１００の第３引出し機構１３ｃの引出し本体２１から送り出されたＬＡＮ配線Ｈ２は、第一テーブル什器１００のダクト１４を通じ、さらに第一テーブル什器１００の第２引出し機構１３ｂの引出し本体２１に設けられた第２配線挿通部２４ｂを通じて、モジュラージャックＨ２４が当該引出し本体２１に収容されるように引き回されている。
【００８７】
また、第一テーブル什器１００の第４引出し機構１３ｄ方向に分岐されたＬＡＮ配線Ｈ２は、第二テーブル什器２００のダクト１４の外向き片１４ｄ及び第一テーブル什器１００のダクト１４の外向き片１４ｄに載置され、第二テーブル什器２００の第１引出し機構１３ａの引出し本体２１に設けられた第１配線挿通部２４ａを通じて当該引出し本体２１の内部に引き込まれ、当該引出し本体２１に設けられた配線挿通部２３ａを通じて当該引出し本体２１の外部に送り出される。さらに、第二テーブル什器２００の第１引出し機構１３ａの引出し本体２１から送り出されたＬＡＮ配線Ｈ２は、第一テーブル什器１００の第３引出し機構１３ｃの引出し本体２１に設けられた配線挿通部２３ａを介して引出し本体２１に引き込まれ、当該引出し本体２１に設けられた第１配線挿通部２４ａを通じて当該引出し本体２１の外部に送り出される。さらに、第一テーブル什器１００の第３引出し機構１３ｃの引出し本体２１から送り出されたＬＡＮ配線Ｈ２は、第一テーブル什器１００のダクト１４を通じ、さらに第一テーブル什器１００の第４引出し機構１３ｄの引出し本体２１に設けられた第２配線挿通部２４ｂを通じて、モジュラージャックＨ２５が当該引出し本体２１に収容されるように引き回されている。
【００８８】
なお、第１配線挿通部２４ａ、第２配線挿通部２４ｂ及び第３配線挿通部２４ｃのうち、いずれかの配線挿通部を通じて電源配線Ｈ１及びＬＡＮ配線Ｈ２を引き回すかは任意に変更可能である。また、ここで説明する配線パターンは一例であり、配線種類や配線本数等は任意に変更可能である。例えば、モニターＭと天板１１上に載置されるパーソナルコンピュータとを接続するための通信配線を引き回しても良い。
【００８９】
以上のような構成の本実施形態のテーブルシステム１によれば、例えば、電源タップＨ１１〜Ｈ１７やモジュラージャックＨ２１〜Ｈ２５を、引出し本体２１の配線挿通部２３ａを通じて引き出すことによって、電源配線Ｈ１及びＬＡＮ配線Ｈ２が、他の什器（第一テーブル什器１００であれば第二テーブル什器２００、第二テーブル什器２００であれば第一テーブル什器１００あるいはモニタースタンド３００）側の縁部を除く天板１１の縁部下方から取り出される。また、電源タップＨ１１〜Ｈ１７やモジュラージャックＨ２１〜Ｈ２５を引出し本体２１の内部に収容したまま中継用の配線を接続し、当該中継用の配線を配線挿通部２３ａから引き出すことによっても、配線を天板１１の縁部下方から取り出すことができる。このように、本実施形態のテーブルシステム１によれば、第一テーブル什器１００及び第二テーブル什器２００は、天板１１の下面に取り付けられるダクト１４を備え、他の什器からダクト１４を通じて配設された配線が、天板１１の連結什器側の縁部を除く縁部下方から取り出し可能とされている。
【００９０】
このような本実施形態のテーブルシステム１によれば、天板１１の作業面１１ａ上に配線挿通部を設ける必要がなく、作業面１１ａを広く確保することができる。また、作業者は、着座した自らの目の前の引出し本体２１から配線が引き出されていることから、配線の接続や配線の引き回しを容易に行うことができる。このように、本実施形態のテーブルシステム１によれば、作業面１１ａを広く確保すると共に配線の引き回しを容易とすることが可能となる。
【００９１】
また、本実施形態のテーブルシステム１においては、２つのテーブル什器（第一テーブル什器１００及び第二テーブル什器２００）が直列的に連結されている。このため、第一テーブル什器１００及び第二テーブル什器２００の天板１１の作業面１１ａを連結して使用することができ、より広い作業スペースを確保することが可能となる。なお、さらに多数のテーブル什器を直列的に連結する構成を採用することも可能である。
【００９２】
また、本実施形態のテーブルシステム１においては、箱状の引出し本体２１が備える立片である前面パネル２３及び背面パネル２４に対して、引出し本体２１の内部と外部とを連通する配線挿通部（配線挿通部２３ａ、第１配線挿通部２４ａ、第２配線挿通部２４ｂ及び第３配線挿通部２４ｃ）を備えているため、この配線挿通部を介して電源配線Ｈ１及びＬＡＮ配線Ｈ２を引出し本体２１の内部に取り込むことができる。このため、他の什器（例えば、第一テーブル什器１００から見た第二テーブル什器２００、及び第二テーブル什器２００から見た第一テーブル什器１００）との間で架け渡される配線を、引出し本体２１の内部を通過させて引き回すことができ、引き回された電源配線Ｈ１及びＬＡＮ配線Ｈ２が作業者等に接触することを防止することができる。したがって、本実施形態のテーブルシステム１の第一テーブル什器１００及び第二テーブル什器２００によれば、引出し本体２１が収容されたまま他の什器と連結されたときであっても、他の什器との間で架け渡される配線が作業者の邪魔とならないように引き回すことが可能となる。
【００９３】
また、本実施形態のテーブルシステム１においては、第１配線挿通部２４ａ、第２配線挿通部２４ｂ及び第３配線挿通部２４ｃが引出し本体２１のダクト１４側に設けられ、配線挿通部２３ａが引出し本体２１の天板１１の縁部側に設けられている。このため、引出し本体２１を通じて配線を引き回すことにより、天板１１の縁部下方から容易に配線を取り出すことが可能となる。
【００９４】
また、本実施形態のテーブルシステム１においては、第一テーブル什器１００及び第二テーブル什器２００は、脚部１２が、天板１１の下面に連結可能な連結部１４０と、連結部１４０から下方に延在すると共に下端が床面に当接される支持部１５０とを備えており、隣り合って配置される２つの脚部１２の連結部１４０間において、この連結部１４０と水平方向に隙間なく配置される引出し機構１３の引出し本体２１を備える。つまり、引出し機構１３の引出し本体２１は、隣り合って配置される２つの脚部１２の連結部１４０間に、この連結部１４０と水平方向に隙間なく（すなわち近接して）配置されている。このため、作業者の下肢が前面パネル２３の端部２３１（引出し機構１３の引出し本体２１の前面側の端部）に接触することを防止することができる。また、本実施形態のテーブルシステム１の第一テーブル什器１００及び第二テーブル什器２００によれば、引出し機構１３の引出し本体２１を収容するための凹部を天板１１に形成する必要はなく、天板１１の複雑化及び重量化を防止することができる。さらに、本実施形態のテーブルシステム１の第一テーブル什器１００及び第二テーブル什器２００によれば、引出し機構１３の引出し本体２１が脚部１２の連結部１４０間に収容されるため、引出し機構１３の引出し本体２１のみが天板１１の下面からさらに下方に突出された状態とならないことから、体裁を向上させることができる。
【００９５】
また、本実施形態のテーブルシステム１の第一テーブル什器１００及び第二テーブル什器２００では、脚部１２の連結部１４０の側面１４１と収容状態における引出し機構１３の引出し本体２１の前面とが面一とされている。作業者の下肢が引出し機構１３の引出し本体２１の前面パネル２３の端部２３１及び連結部１４０の引出し側の端部１４３に接触することを防止することができる。さらに、引出し機構１３の引出し本体２１と脚部１２の連結部１４０とによって段差部が形成されることを防止し、体裁をさらに向上させることができる。
【００９６】
また、本実施形態のテーブルシステム１の第一テーブル什器１００及び第二テーブル什器２００では、脚部１２の連結部１４０の下面１４４と引出し機構１３の引出し本体２１の下面２３２とが同じ高さに配置されている。このため、引出し機構１３の引出し本体２１の前面側のみならず、奥行き方向の広い範囲で作業者の下肢が引出し機構１３の引出し本体２１の端部及び連結部１４０の端部１４３に接触することを防止することができる。
【００９７】
また、本実施形態のテーブルシステム１の第一テーブル什器１００及び第二テーブル什器２００では、全ての脚部１２の連結部１４０間に引出し機構１３の引出し本体２１が配置されている。このため、複数（４つ）の引出し機構１３の引出し本体２１が設置されることになるため、引出し機構１３の引出し本体２１を使用できる範囲を広げることが可能となる。
【００９８】
また、本実施形態のテーブルシステム１の第一テーブル什器１００及び第二テーブル什器２００では、天板１１の平面視形状が矩形であり、天板１１の各角部に脚部１２が設置され、各脚部１２の連結部１４０間に引出し機構１３の引出し本体２１が配置されている。このため、前後左右のどの方向からテーブル什器１０にアクセスした場合であっても、引出し機構１３の引出し本体２１を使用することができる。さらに、前後左右のどの方向から見ても引出し機構１３の引出し本体２１のみが天板１１の下面からさらに下方に突出された状態とならないことから、体裁を向上させることができる。
【００９９】
また、本実施形態のテーブルシステム１の第一テーブル什器１００及び第二テーブル什器２００は、天板１１の下面に固定されると共に引出し本体２１を介して送り配線された電源配線Ｈ１及びＬＡＮ配線Ｈ２を支持するダクト１４を備える。このため、大型の天板１１を用いた場合であっても、引出し本体２１の外部で電源配線Ｈ１及びＬＡＮ配線Ｈ２をダクト１４によって支持することができる。よって、容易に大型の天板１１を採用することができ、テーブル什器としての利便性を向上させることができる。
【０１００】
また、本実施形態のテーブルシステム１の第一テーブル什器１００及び第二テーブル什器２００は、第２配線挿通部２４ｂ及び第３配線挿通部２４ｃを囲って配設されると共に切欠き２４ｅが形成された可撓性環状部材２４ｄを備える。このため、第２配線挿通部２４ｂ及び第３配線挿通部２４ｃを通過する配線が、可撓性環状部材２４ｄに囲われるため、第２配線挿通部２４ｂ及び第３配線挿通部２４ｃから抜け出ることが防止することができる。また、可撓性環状部材２４ｄが切欠き２４ｅを有していることから、切欠き２４ｅを広げるように可撓性環状部材２４ｄを変形させることで、電源配線Ｈ１及びＬＡＮ配線Ｈ２を第２配線挿通部２４ｂ及び第３配線挿通部２４ｃに容易に通すことが可能となり、電源配線Ｈ１及びＬＡＮ配線Ｈ２の設置作業が容易となる。
【０１０１】
また、本実施形態のテーブルシステム１の第一テーブル什器１００及び第二テーブル什器２００は、配線挿通部（配線挿通部２３ａ、第１配線挿通部２４ａ、第２配線挿通部２４ｂ及び第３配線挿通部２４ｃ）が、上方に向けて開放された凹部からなる。このため、電源配線Ｈ１及びＬＡＮ配線Ｈ２を上方から下すことによって容易に配線挿通部に設置することができ、電源配線Ｈ１及びＬＡＮ配線Ｈ２の設置作業が容易となる。
【０１０２】
また、本実施形態のテーブルシステム１の第一テーブル什器１００及び第二テーブル什器２００によれば、ダクト１４の内向き片１４ｃを用いて第一テーブル什器１００及び第二テーブル什器２００との間で架け渡される電源配線Ｈ１を引き回すことができ、ダクト１４の外向き片１４ｄを用いて天板１１で使用される電子機器と接続されるＬＡＮ配線Ｈ２を引き回すことができる。このため、第一テーブル什器１００及び第二テーブル什器２００と連結して配列したときに、第一テーブル什器１００及び第二テーブル什器２００間の電源配線Ｈ１とＬＡＮ配線Ｈ２の引き回しと、第一テーブル什器１００及び第二テーブル什器２００の各々における電源配線Ｈ１とＬＡＮ配線Ｈ２の引き回しとを容易に行うことができる。
【０１０３】
また、本実施形態のテーブルシステム１の第一テーブル什器１００及び第二テーブル什器２００においては、背面パネル２４に配線挿通部（第１配線挿通部２４ａ、第２配線挿通部２４ｂ及び第３配線挿通部２４ｃ）が設けられた引出し本体２１と、当該引出し本体２１をスライド可能に支持する支持レール２０とからなる引出し機構１３を備え、ダクト１４の外向き片１４ｄに載置されたＬＡＮ配線Ｈ２が背面パネル２４に設けられた第２配線挿通部２４ｂを通じて引出し本体２１の内部に引き込まれている。このため、第一テーブル什器１００及び第二テーブル什器２００の各々におけるＬＡＮ配線Ｈ２の引き回しをより容易に行うことができる。
【０１０４】
また、本実施形態のテーブルシステム１の第一テーブル什器１００及び第二テーブル什器２００においては、前後片１４ｂに貫通孔１４ｇが設けられている。このため、内向き片１４ｃに載置される電源配線Ｈ１を貫通孔１４ｇを通じて容易にダクト１４の外側に引き出すことができ、電源配線Ｈ１の引き回しを容易に行うことができる。
【０１０５】
また、本実施形態のテーブルシステム１の第一テーブル什器１００及び第二テーブル什器２００においては、内向き片１４ｃに載置される電源配線Ｈ１が電源タップＨ１１及び電源タップＨ１２を有し、内向き片１４ｃの内側端に立設されると共に上端が基部１４ａと離間された第１係止片１４ｅを備え、基部１４ａと、前後片１４ｂと、内向き片１４ｃと、第１係止片１４ｅとによって囲まれる空間に電源タップＨ１１及び電源タップＨ１２を収容すると共に、第１係止片１４ｅと基部１４ａとの隙間寸法が電源タップＨ１１及び電源タップＨ１２の高さ寸法よりも小さく設定されている。このため、内向き片１４ｃに載置される電源タップＨ１１及び電源タップＨ１２が、内向き片１４ｃから脱落することを防止することができる。このため、電源タップＨ１１及び電源タップＨ１２に対するコンセントの抜き差し作業を容易に行うことが可能となる。
【０１０６】
また、本実施形態のテーブルシステム１によれば、コンソールボックス３２の底板３２ｂが、天板１１の作業面１１ａと面一の載置面３２ｉを有している。このため、この載置面３２ｉに電子機器Ｄ等の物品を載置することによって、電子機器Ｄ等を天板１１の作業面１１ａに載置したときと同じ高さに配置することができる。したがって、電子機器Ｄ等への作業が容易となる。また、天板１１の作業面１１ａから当該電子機器Ｄ等に配線（例えばＬＡＮ配線Ｈ２）を接続したときに、配線が局所的に大きく曲がったり、配線に大きな張力が常に作用したりすることを抑制することができ、配線への負荷を低減させることができる。したがって、本実施形態のテーブルシステム１によれば、電子機器Ｄに対する作業を容易に可能とすると共に天板１１の作業面１１ａから電子機器Ｄに接続される配線への負荷を低減することが可能となる。
【０１０７】
また、本実施形態のテーブルシステム１においては、前面パネル３２ａが、コンソールボックス３２の内外を連通する配線挿通部３２ｈを有している。このため、前面パネル３２ａを完全に閉じた状態でも、コンソールボックス３２に収容された電子機器Ｄに対して、ＬＡＮ配線Ｈ２を接続することが可能となる。
【０１０８】
また、本実施形態のテーブルシステム１においては、前面パネル３２ａが上端側を回動中心として開閉され、配線挿通部３２ｈが前面パネル３２ａの下端側の縁部に設けられた切欠きよりなる。このため、作業面１１ａに載置されたパーソナルコンピュータ等の物品とコンソールボックス３２に収容された電子機器Ｄとを接続するＬＡＮ配線Ｈ２を移動させることなく前面パネル３２ａの開閉が可能となる。
【０１０９】
また、本実施形態のテーブルシステム１においては、コンソールボックス３２が、底板３２ｂにコンソールボックス３２の内外を連通する配線挿通部３２ｊが設けられ、天井板３２ｃに同様の配線挿通部３２ｋが設けられている。このため、例えば、床から引き出された電源配線Ｈ１をコンソールボックス３２の内部を介して上方のモニターＭに接続することができる。また、コンソールボックス３２の内部に他の配線を容易に引き込むこともでき、電子機器Ｄに容易に接続することもできる。
【０１１０】
また、本実施形態のテーブルシステム１においては、底板３２ｂに設けられた配線挿通部３２ｊと天井板３２ｃに設けられた配線挿通部３２ｋとが平面視において重ねて設けられている。このため、コンソールボックス３２の内部を通過して下方から上方に引き回される電源配線Ｈ１を直線状に配設することができ、配線Ｈ２への負荷を低減させることができる。
【０１１１】
また、本実施形態のテーブルシステム１においては、モニタースタンド３００が、天板１１と反対側の背面側に設置されるカバー体として、バックパネル３７及びアンダーカバー３８を有している。このため、モニターＭの背面が覆われることになるため、特にモニターＭが設置された状態でのテーブルシステム１の体裁を良くすることができる。
【０１１２】
また、本実施形態のテーブルシステム１によれば、モニタースタンド３００が脚部３０側から側方に向けて延設される固定用アーム３３を有しており、この固定用アーム３３が第二テーブル什器２００に形成された凹所２０１に挿入された状態で第二テーブル什器２００とモニタースタンド３００とが連結される。このような固定用アーム３３を設けることによって、固定用アーム３３の延在方向の複数個所（本実施形態では２か所）において第二テーブル什器２００とモニタースタンド３００とを連結することができ、単に第二テーブル什器２００と固定用アーム３３を有していないモニタースタンドとを並べてビス等で連結する場合と比較して、連結箇所を増設することができる。このため、１つの連結箇所に作用する応力を低減させることができる。
【０１１３】
また、本実施形態のテーブルシステム１では、固定用アーム３３が脚部３０から側方に向けて延設されていることから、モニタースタンド３００を転倒させようとするモーメントの中心から遠く離間した位置（すなわちモーメントが小さい位置）において第二テーブル什器２００とモニタースタンド３００とを連結することができ、連結部（すなわちボルト３３ａ）に作用する応力を低減させることができる。さらに固定用アーム３３を設けることによって、第二テーブル什器２００とモニタースタンド３００との接触面積が増加し、連結箇所に局所的に大きな応力が作用することを抑止することができる。
【０１１４】
したがって、本実施形態のテーブルシステム１によれば、モニタースタンド３００の転倒方向に作用するモーメントに対する強度的な不安を解消することができる。
【０１１５】
また、本実施形態のテーブルシステム１においては、第二テーブル什器２００が、箱状の引出し本体２１とこの引出し本体２１をスライド可能に支持する支持レール２０とを有する引出し機構１３を複数備え、凹所２０１は、引出し本体２１の１つの取り外すことによって形成された引出し収容空間からなる。このため、別途凹所を形成することなく、元々設置されている引出し機構１３の引出し収容空間を利用して第二テーブル什器２００とモニタースタンド３００とを連結することができる。また、第二テーブル什器２００をモニタースタンド３００から離間させて使用する場合には、凹所２０１に引出し本体２１を収容することができるため、第二テーブル什器２００の使い勝手を高めることができる。
【０１１６】
また、本実施形態のテーブルシステム１においては、第二テーブル什器２００の脚部１２同士の間に引出し収容空間が設けられている。このため、引出し収容空間に引出し本体２１を収容して使用する場合に、脚部１２と引出し本体２１とを一体的とすることができ、第二テーブル什器２００の体裁を良好に収めることが可能となる。
【０１１７】
また、本実施形態のテーブルシステム１においては、脚部３０側から側方に向けて延設される角材からなる固定用アーム３３を２本有し、各固定用アーム３３が凹所２０１の水平方向の各端部に配置されている。このため、固定用アーム３３が凹所２０１に挿入されている状態で、第二テーブル什器２００がモニタースタンド３００に対して水平方向に移動することを抑制することができる。
【０１１８】
以上、添付図面を参照しながら本発明の好適な実施形態について説明したが、本発明は、上記実施形態に限定されないことは言うまでもない。上述した実施形態において示した各構成部材の諸形状や組み合わせ等は一例であって、本発明の趣旨から逸脱しない範囲において設計要求等に基づき種々変更可能である。
【０１１９】
例えば、上記実施形態においては、第一テーブル什器１００及び第二テーブル什器２００の天板１１の平面視形状が正方形であり、脚部１２が４つ備えられた構成について説明した。しかしながら、本発明はこれに限定されるものではなく、例えば、天板の平面視形状が長方形であっても良い。また、例えば、天板の平面視形状が五角形や六角形等の多角形である各角部に脚部が設けられた構成を採用することも可能である。
【０１２０】
また、上記実施形態においては、引出し機構１３の前面と連結部１４０の側面１４１とが面一であり、連結部１４０の下面１４４と引出し機構１３の下面１６２とが同じ高さとされた構成について説明した。しかしながら、これらの構成は必ずしも必須の構成ではない。
【０１２１】
また、上記実施形態においては、全ての連結部１４０間に引出し機構１３が設置されている構成について説明した。しかしながら、本発明はこれに限定されるものではなく、複数の連結部１４０間のいずれかに引出し機構１３が設置されていない構成を採用することもできる。
【０１２２】
また、上記実施形態においては、前面パネル２３及び背面パネル２４に配線挿通部が設けられた構成について説明した。しかしながら、本発明はこれに限定されるものではなく、前面パネル２３、背面パネル２４及び側面パネル２５のいずれか１つあるいは複数に配線挿通部を設け、引出し本体２１を介して送り配線可能な形態であれば採用することが可能である。
【０１２３】
また、上記実施形態においては、第２配線挿通部２４ｂ及び第３配線挿通部２４ｃに可撓性環状部材２４ｄを設ける構成について説明した。しかしながら、本発明はこれに限定されるものではなく、例えば、第２配線挿通部２４ｂ及び第３配線挿通部２４ｃにラバー部材に孔が形成された配線保持部等を設けても良い。
【０１２４】
また、上記実施形態においては、電源タップに対して磁石が設けられていることが望ましい。これによって、引出し本体２１やダクト１４を常磁性体材料からなる場合には、電源タップを引出し本体２１やダクト１４に対して固着させることができる。
【０１２５】
また、上記実施形態におけるダクト１４の形状は一例であり、本発明はこれに限定されるものではない。例えば、上記実施形態においては、内向き片１４ｃや外向き片１４ｄが左右方向に延在する構成について説明した。しかしながら、前後方向に延在する内向き片及び外向き片をさらに備え、内向き片及び外向き片が十字状に配設される構成を採用することも可能である。
【０１２６】
また、上記実施形態においては、前面パネル３２ａの下側の縁部に設けられた切欠きが配線挿通部３２ｈとされた構成について説明した。しかしながら、本発明は、これに限定されるものではなく、例えば、前面パネル３２ａの高さ方向の寸法を短くし、閉じた状態でも前面パネル３２ａの下端と底板３２ｂの載置面３２ｉとの間に隙間が形成された構成を採用することも可能である。この場合には、隙間を前面パネル３２ａの下端側の縁部の全域に設けられた切欠きとして捉え、配線挿通部は上記隙間からなる。
【０１２７】
また、上記実施形態においては、配線挿通部３２ｈ、配線挿通部３２ｊ及び配線挿通部３２ｋが開放された構成について説明した。しかしながら、本発明はこれに限定されるものではなく、配線挿通部３２ｈ、配線挿通部３２ｊ及び配線挿通部３２ｋに対して、コンソールボックス３２の内部への異物の進入を抑止するための可撓性膜部材を設置するようにしても良い。
【０１２８】
また、上記実施形態において引き回された電源配線Ｈ１、ＬＡＮ配線Ｈ２及び電子機器Ｄは、あくまでも一例であり、他の種類の配線や電子機器を本発明で使用することができることは当然である。
【０１２９】
また、上記実施形態においては、モニタースタンド３００を第二テーブル什器２００と別体とする構成について説明した。しかしながら、本発明はこれに限定されるものではなく、第二テーブル什器２００にモニターを支持させる構成を採用することも可能である。
【０１３０】
また、上記実施形態においては、角材からなる固定用アーム３３を備え、このような固定用アーム３３が水平方向に離間して２本備えられた構成について説明した。しかしながら、本発明はこれに限定されるものではなく、例えば、１枚のプレート状部材を固定用アーム３３に替えて用いることも可能である。
【０１３１】
また、上記実施形態においては、引出し機構１３の引出し本体２１を取り外すことによって凹所２０１を形成する構成について説明した。しかしながら、本発明はこれに限定されるものではなく、例えば、天板１１を削る等によって別途凹所を設けるようにしても良い。
【符号の説明】
【０１３２】
１……テーブルシステム、１１……天板、１１ａ……作業面、１２……脚部、１２ａ……第１脚部、１２ｂ……第２脚部、１２ｃ……第３脚部、１２ｄ……第４脚部、１３……引出し機構、１３ａ……第１引出し機構、１３ｂ……第２引出し機構、１３ｃ……第３引出し機構、１３ｄ……第４引出し機構、１４……ダクト、１４ａ……基部、１４ｂ……前後片、１４ｃ……内向き片、１４ｄ……外向き片、１４ｅ……第１係止片（係止片）、１４ｆ……第２係止片、１４ｇ……貫通孔、２０……支持レール、２０ａ……突出部、２１……引出し本体、２２……底板、２３……前面パネル（立片）、２３ａ……配線挿通部、２４……背面パネル（立片）、２４ａ……第１配線挿通部、２４ｂ……第２配線挿通部、２４ｃ……第３配線挿通部、２４ｄ……可撓性環状部材、２５……側面パネル、３０……脚部、３０ａ……脚体部、３０ｂ……接続部、３０ｃ……蓋部、３０ｄ……貫通孔、３１……配線トレイ、３２……コンソールボックス、３２ａ……前面パネル、３２ｂ……底板、３２ｃ……天井板、３２ｄ……側面パネル、３２ｅ……背面パネル、３２ｆ……開閉支持機構、３２ｇ……仕切板、３２ｈ……配線挿通部、３２ｉ……載置面、３２ｊ……配線挿通部、３２ｋ……配線挿通部、３３……固定用アーム、３３ａ……ボルト、３３ｂ……ボルト、３４……支持用アーム、３５……水平支持部、３６……ブラケット、３６ａ……係止金具、３６ｂ……ビス、３７……バックパネル、３７ａ……パネル本体、３７ｂ……取付金具、３８……アンダーカバー、３８ａ……カバー本体、３８ｂ……取付金具、１４０……連結部、１４１……側面、１４２……上面、１４３……端部、１４４……下面、１５０……支持部、１５１……下端部、１５２……下端部、２３１……端部、２３２……下面、１００……第一テーブル什器、２００……第二テーブル什器（テーブル什器）、２０１……凹所、３００……モニタースタンド、Ｍ……モニター、Ｄ……電子機器、Ｈ１……電源配線、Ｈ２……ＬＡＮ配線、Ｈ１１〜Ｈ１７……電源タップ、Ｈ２１〜Ｈ２５……モジュラージャック
【図１】
2015084998.tif 000003
【図２】
2015084998.tif 000004
【図３】
2015084998.tif 000005
【図４】
2015084998.tif 000006
【図５】
2015084998.tif 000007
【図６】
2015084998.tif 000008
【図７】
2015084998.tif 000009
【図８】
2015084998.tif 000010
【図９】
2015084998.tif 000011
【図１０】
2015084998.tif 000012
【図１１】
2015084998.tif 000013
【図１２】
2015084998.tif 000014
【図１３】
2015084998.tif 000015
【図１４】
2015084998.tif 000016
【図１５】
2015084998.tif 000017
【図１６】
2015084998.tif 000018
【図１７】
2015084998.tif 000019
【図１８】
2015084998.tif 000020
【図１９】
2015084998.tif 000021